(57)【要約】【課題】色値［Ｃ１，Ｍ１，Ｙ１，Ｋ１］による第１の印刷プロセスを色値［Ｃ２，Ｍ２，Ｙ２，Ｋ２］による第２の印刷プロセスに印刷プロセス適合するための改善された方法を提供することである。【解決手段】印刷プロセス適合Ｗは第１の印刷プロセスの色値［Ｃ１，Ｍ１，Ｙ１，Ｋ１］を第２の印刷プロセスの色値［Ｃ２，Ｍ２，Ｙ２，Ｋ２］Ｗに変換し、  当該色値［Ｃ２，Ｍ２，Ｙ２，Ｋ２］Wは、第１の印刷プロセス適合Ｕの変換された色値［Ｃ２，Ｍ２，Ｙ２，Ｋ２］Uと第２の印刷プロセス適合Ｖの変換された色値［Ｃ２，Ｍ２，Ｙ２，Ｋ２］Vとの重み付けされた平均により定められる。【選択図】図３
2004222289.tif 000002
【特許請求の範囲】
【請求項１】
第１の印刷プロセスの色値を第２の印刷プロセスの色値に変換する印刷プロセス適合を形成するための方法であって、
これにより第１の印刷プロセスの黒構造が実質的に第２の印刷プロセスに引き継がれ、
印刷された色の視覚的印象が両方の印刷プロセスで実質的に同じとなり、
・黒構造を維持しない第１の印刷プロセス適合Ｕがあり、
該第１の印刷プロセス適合Ｕは第１の印刷プロセスの色値［Ｃ１，Ｍ１，Ｙ１，Ｋ１］を第２の印刷プロセスの色値［Ｃ２，Ｍ２，Ｙ２，Ｋ２］Uに変換し、
・黒構造を維持する第２の印刷プロセス適合Ｖがあり、
該第２の印刷プロセス適合Ｖは第１の印刷プロセスの色値［Ｃ１，Ｍ１，Ｙ１，Ｋ１］を第２の印刷プロセスの色値［Ｃ２，Ｍ２，Ｙ２，Ｋ２］Vに変換する形式の方法において、
印刷プロセス適合Ｗは第１の印刷プロセスの色値［Ｃ１，Ｍ１，Ｙ１，Ｋ１］を第２の印刷プロセスの色値［Ｃ２，Ｍ２，Ｙ２，Ｋ２］Ｗに変換し、
当該色値［Ｃ２，Ｍ２，Ｙ２，Ｋ２］Wは、第１の印刷プロセス適合Ｕの変換された色値［Ｃ２，Ｍ２，Ｙ２，Ｋ２］Uと第２の印刷プロセス適合Ｖの変換された色値［Ｃ２，Ｍ２，Ｙ２，Ｋ２］Vとの重み付けされた平均により定められる、
ことを特徴とする方法。
【請求項２】
平均値の重み付けは重み付け関数ｆ（Ｃ１，Ｍ１，Ｙ１）により行い、
該重み付け関数は第１の印刷プロセスの色における多色印刷インキ（Ｃ１，Ｍ１，Ｙ１，Ｋ１）の割合から導出される、請求項１記載の方法。
【請求項３】
多色印刷インキ（Ｃ１，Ｍ１，Ｙ１）の割合の多い、第１の印刷プロセスの色には大きな重み付け係数を割り当て、多色印刷インキ（Ｃ１，Ｍ１，Ｋ１）の割合が小さい色には比較的に小さな重み付け係数を割り当てる、請求項２記載の方法。
【発明の詳細な説明】
【技術分野】
【０００１】
本発明は、電子複製技術の分野に関連するものであり、第１の印刷プロセスに対して形成された色値を第２の印刷プロセスに適合し、これにより色の視覚的印象を２両方の印刷プロセスで等しくするための方法に関する。
【背景技術】
【０００２】
複製技術では、印刷すべきすべての要素、例えばテキスト、グラフィックおよび画像を含む印刷頁に対して印刷原稿が形成される。印刷原稿を電子的に作製する場合にはこれらの要素がデジタルデータの形態で存在する。画像に対しては次のようなデータが形成される。すなわちこのデータでは、画像がスキャナで点ごとおよび線毎に走査され、各画素が色成分に分解され、この色成分がデジタル化される。通常、画像はスキャナで色成分、赤、緑、青（Ｒ、Ｇ、Ｂ）に分解される。すなわち３次元色空間の成分に分解される。しかしインキ印刷のためには他の色成分が必要である。多色印刷の場合、印刷インキはシアン、マゼンタ、黄色、黒［Ｃ、Ｍ、Ｙ、Ｋ］である。すなわち４次元色空間の成分である。このために、スキャナのＲＢＧ色空間の画像データを、使用すべき印刷プロセスのＣＭＹＫ色空間に変換しなければならない。
【０００３】
このような色空間変換が複製技術において必要である。なぜならすべての機器およびプロセスが色の表示および再生において所定の制限および特異性を有し、すべての機器およびプロセスは異なる特性を有するからである。従って種々異なる機器およびプロセス、例えばスキャナ、モニタ、プルーフ出力機器、印刷プロセス等に対して種々異なる色空間が存在する。これら種々異なる色空間は機器ないしプロセスの色特性を最適に表わし、機器に依存する色空間と称される。機器に依存する色空間（機器依存色空間）の他に、機器に依存しない色空間（機器非依存色空間）も存在する。この機器に依存しない色空間は、いわゆる基準観察者の視覚的特性に基づくものである。このような色空間は例えば、標準化委員会ＣＩＥ（Commission Internationale d'Eclairage）により定義されたＸＹＺ色空間、またはそこから派生したＬＡＢ色空間であり、ＬＡＢ色空間はこの分野で広く定着している。２つの色が肉眼により同じに感じられるか、異なって感じられるかを知りたい場合、このためにＸＹＺ色成分ないしＬＡＢ色成分を測定すれば十分である。ＬＡＢ色成分は明度軸（Ｌ）と２つの色軸（Ａ，Ｂ）を有する色空間を形成する。これら２つの色軸は色円環の平面に想像することができ、その中点を明度軸が通過する。ＬＡＢ色成分はＸＹＺ色成分と、非線形の変換式を介した関係にある。
【０００４】
機器ないし色処理プロセスはその色特性に関して次のようにして特徴付けることができる。すなわち所属の機器依存色空間の可能なすべての値コンビネーションに、人間がこれら値コンビネーションにより形成された色を見る場合のＬＡＢ色成分を割り当てることにより特徴付けることができる。印刷プロセスに対しては、ＣＭＹＫ値コンビネーションが異なれば別の色が印刷される。色測定機器により印刷された色のＬＡＢ成分を検出し、ＣＭＹＫ値コンビネーションに割り当てることができる。機器ないしプロセスにより形成された機器依存色を機器非依存色空間（ＸＹＺまたはＬＡＢ）に関係付けるこの割り当ては色プロフィールとも称され、印刷プロセスの場合は版色プロフィールと称される。色プロフィールに対する定義およびデータ形式はＩＣＣにより標準化されている（International Color Consortium-Specification ICC.1:1998-09）。ＩＣＣ色プロフィールには、色空間の割り当てが２つの方向で記憶されている。これは例えば、割り当てＬＡＢ＝ｆ１（ＣＭＹＫ）と、逆割り当てＣＭＹＫ＝ｆ２（ＬＡＢ）である。色プロフィールにより設定された割り当てはテーブルメモリ（ルックアップメモリ）により実現することができる。例えば印刷プロセスのＣＭＹＫ色成分にＬＡＢ色成分を割り当てるべき場合、テーブルメモリはＣＭＹＫ色成分の各可能な値コンビネーションに対して１つのメモリスペースを有し、このメモリスペースに割り当てられたＬＡＢ色成分を記憶しなければならない。しかしこの単純な割り当て方法は、テーブルメモリが非常に大きくなるという欠点を有する。色成分（Ｃ、Ｍ、Ｙ、Ｋ）の各々が８ビットによりデジタル化される場合、すなわち２８＝２５６密度ステップを有する場合、ＣＭＹＫ色成分の可能な値コンビネーションは２５６４＝4,294,967,296となる。従ってテーブルメモリは、各３バイトワード長（Ｌ，Ａ，Ｂに対してそれぞれ１バイト）を備える4,294,967,296のメモリスペースを有さなければならない。そのためテーブルメモリは１２．３Ｇバイトの大きさとなる。
【０００５】
従ってテーブルメモリの大きさを低減するために、テーブルメモリと補間法との組合せが使用される。この補間法は色プロフィールを記述し、相応の色空間変換を実現する。テーブルメモリにはＣＭＹＫ色成分の可能なすべての値コンビネーションに対する割り当てが記憶されるのではなく、ＣＭＹＫ色空間における支持個所の粗い規則的なグリッドに対する割り当てだけが記憶される。このグリッドは、各成分方向で各ｋ番目の値だけをグリッド点として採用することにより形成される。従ってｋ＝１６に対しては、各成分において２５６の可能な値から各１６番目の値がグリッド点として採用される。従ってグリッドは、各成分方向において２５６／１６＝１６のグリッド点を有する。すなわちＣＭＹＫ色空間全体に対しては１６×１６×１６×１６＝65,536のグリッド点を有する。各グリッド点に対して、ＬＡＢ色空間の割り当てられた成分がテーブルメモリに支持個所として記憶される。グリッド点の間にあるＣＭＹＫ値コンビネーションに対しては、割り当てるべきＬＡＢ値が隣接する支持個所から補間される。逆割り当てＣＭＹＫ＝ｆ２（ＬＡＢ）に対しては、ＬＡＢ色空間に例えば１６×１６×１６＝４０９６のグリッド点が形成され、テーブルメモリに割り当てられたＣＭＹＫ値が支持個所として記憶される。
【０００６】
色プロフィールに定められた、機器依存色空間と機器非依存色空間（例えばＬＡＢ）との間の割り当ては機器依存色空間間での色空間変換に使用することができる。これにより例えば第１の印刷プロセスの色値［Ｃ１，Ｍ１，Ｙ１，Ｋ１］が第２の印刷プロセスの色値［Ｃ２，Ｍ２，Ｙ２，Ｋ２］に再計算され、第２の印刷が視覚的印象において第１の印刷と同じ色を有するようにする。図１は、従来技術によるこのような印刷プロセス適合に対する単純な色空間変換をブロック回路図に示す。第１の色空間変換は第１の印刷プロセスの色値［Ｃ１，Ｍ１，Ｙ１，Ｋ１］をＬＡＢ色値に順次変換し、第２の色空間変換２はＬＡＢ色値を第２の印刷プロセスの色値［Ｃ２，Ｍ２，Ｙ２，Ｋ２］に順次変換する。２つの色空間変換１と２は１つの等価的色空間変換３に組み合わせることができ、この色空間変換３は色値［Ｃ１，Ｍ１，Ｙ１，Ｋ１］と色値［Ｃ２，Ｍ２，Ｙ２，Ｋ２］を直接相互に割り当てる。機器非依存のＬＡＢ中間色空間を介して、同じＬＡＢ色値を生じるそれぞれの色値［Ｃ１，Ｍ１，Ｙ１，Ｋ１］と［Ｃ２，Ｍ２，Ｙ２，Ｋ２］が相互に割り当てられるから、割り当てられた印刷インキは印刷インキ範囲内の両方の印刷プロセスで同じように可視的に感じられる。
【０００７】
しかしこの方法の欠点は、第１の印刷プロセスのいわゆる黒構造が失われてしまうことである。黒構造とは、黒印刷インキＫの成分を基準にした、印刷された色の組成であると理解されたい。とりわけ純粋な黒色、例えばテキストブロックは印刷インキＫだけにより形成され、ＣＭＹ成分を含まないようにすることが努められる。前記の従来技術による方法では、第１の印刷プロセスにより印刷インキＫだけにより形成された純粋な黒色が第２の印刷プロセスでも印刷インキＫだけにより形成されるようにはならない。一般的に、視覚的同一性、すなわち同じＬＡＢ色値に基づいて、第２の印刷プロセスでは印刷インキＫの成分が優勢ではあるが、ＣＭＹ成分も含む混合インキが割り当てられる。このことによりとりわけ、黒のテキストおよびラインに、印刷機にレジスタエラーのある場合には印刷プロセス適合後に色の付いた縁部が生じるようになる。
【０００８】
さらに従来技術による方法では、黒色ないし灰色での明度経過が適合後に第２の印刷プロセスでは第１の印刷プロセスで調整されたように正しく再現されることが補償されない。その理由は、第２の印刷プロセスの割り当てられた黒色ないし灰色が付加的にＣＭＹ成分を含んでいることと、Ｋ成分が第２の印刷プロセスの明度経過に従って形成されるからであり、この明度経過は第２の印刷プロセスの色プロフィールの作成の際に調整されたものだからである。
【０００９】
前記方法の別の欠点は、第１の印刷プロセスの黒構造が多色の場合に失われてしまうことである。４色印刷システムでは多数の種々異なるＣＭＹＫ値コンビネーションにより同じ色を印刷することができるから、このシステムは曖昧であり、灰色および暗い色を印刷するのに、黒印刷インキＫの割合を高め、相応に色印刷インキ［Ｃ、Ｍ、Ｙ］の割合を低減するか、またはＫの割合を小さくし、相応に［Ｃ、Ｍ、Ｙ］の割合を高くするかを選択することができる。この決定は例えばアンダー・カラー・リムーバル（ＵＣＲ）またはグレー・コンポーネント・リダクション（ＧＣＲ）などの公知の方法により行われる。第１の印刷プロセスの色値［Ｃ１，Ｍ１，Ｙ１，Ｋ１］に対して行われた決定は、図１に示した単純な印刷プロセス適合方法では、第２の印刷プロセスの割り当てられた色値［Ｃ２，Ｍ２，Ｙ２，Ｋ２］に引き継がれない。そうではなく、割り当てられた色値［Ｃ２，Ｍ２，Ｙ２，Ｋ２］は第２の印刷プロセスの黒構造に従って形成される。この黒構造は第２の印刷プロセスの色プロフィールの作成の際に調整されたものである。
【００１０】
特許願ＤＥ１９９４６５８５Ａ１には印刷プロセス適合方法が記載されており、この方法では図１の単純な適合の欠点が回避される。２つの印刷プロセスの所定の色プロフィールから導出される特別の色空間変換によって、視覚的に感じられる色も第１の印刷プロセスの黒構造も両方がそのまま維持される。
【００１１】
しかしＤＥ１９９４６５８５Ａ１に記載された印刷プロセス適合も所定の色領域、とりわけ暗い色領域に欠点を有する。例えば３０％Ｙを６０％Ｃと６０％Ｍが重ねて印刷された上に付加的に印刷すると、印刷インキ・イエローの表面輝きのため、予期される暗い色ではなく明るい色が生じる。このことにより、明度は印刷インキ・イエローの成分増大を基準にすると単調な経過を有しない。この方法では２つの割り当てられた色成分の関係を反転しなければならないから、明度はこれが単調な経過を得るように変換しなければならない。この所要の変換によってエラーが持ち込まれ、このエラーが印刷プロセス適合の結果を誤らせる。非常に暗い色に対してはさらに、オフセット印刷に対しては２８０％から３５０％の領域にある最大許容表面カバー和を、変換された色値［Ｃ２，Ｍ２，Ｙ２，Ｋ２］の重ね合わせ印刷の際に上回る危険性がある。表面カバー和とは、印刷すべきインキ成分ＣＭＹＫの和である。そこに表現された最大印刷インキ塗布量は制限されなければならない。なぜなら過度に厚いインキ層は十分に迅速に乾燥せず、汚染および起伏形成の傾向があるからである。多くの印刷機はまた過度に大きな印刷インキ塗布によって損傷することもある。
【特許文献１】ＤＥ１９９４６５８５Ａ１
【発明の開示】
【発明が解決しようとする課題】
【００１２】
本発明の課題は、前記の制限および欠点を回避し、色値［Ｃ１，Ｍ１，Ｙ１，Ｋ１］による第１の印刷プロセスを色値［Ｃ２，Ｍ２，Ｙ２，Ｋ２］による第２の印刷プロセスに印刷プロセス適合するための改善された方法を提供することであり、この方法は両方の印刷プロセスに対する所定の色プロフィールに基づいて動作し、第１の印刷プロセスの黒構造が十分に維持され、最大許容表面カバー和を上回らないようにする。
【課題を解決するための手段】
【００１３】
この課題は請求項１の構成により解決される。有利な改善形態は従属請求項に記載されている。
【発明を実施するための最良の形態】
【００１４】
第１の印刷プロセスを第２の印刷プロセスに印刷プロセス適合するための本発明の方法は上記課題を次のように解決する。すなわち黒構造を維持しない印刷プロセス適合と、黒構造を維持する印刷プロセス適合とを組み合わせることにより解決する。このために第２の適合の変換された色値［Ｃ２，Ｍ２，Ｙ２，Ｋ２］が重み付け関数と組み合わされ、その大きさが第１の印刷プロセスの色値［Ｃ１，Ｍ１，Ｙ１，Ｋ１］に依存して変化される。
【００１５】
従来技術と本発明を、以下図１から図３に基づいて説明する。
【実施例】
【００１６】
従来技術、および黒構造を維持する印刷プロセス適合に対する例として、ＤＥ１９９４６５８５Ａ１に記載された方法を説明する。図２ａから図２ｃは、この方法の個々のステップをフローチャートとして示す。ステップＳ１で第１の印刷プロセスの色プロフィールから明度経過が色値Ｋ１に依存して検出される。すなわち関数Ｌ（Ｋ１）が検出される。冒頭に述べたように色プロフィールは、ＬＡＢ色値と色値［Ｃ１，Ｍ１，Ｙ１，Ｋ１］との関係を表わす。求める明度経過は、Ｃ１＝０，Ｍ１＝０，Ｙ１＝０に設定し、値Ｋ１を変化することにより得られる。色値［ＣＦ１，Ｍ１，Ｙ１，Ｋ１］がたとえばそれぞれ８ビットにより記憶されていれば、Ｋ１＝０....２５５で変化する。そこから生じたＬ値は明度経過Ｌ（Ｋ１）を表わす。
【００１７】
ステップＳ２で同じようにして第２の印刷プロセスの色プロフィールから明度経過Ｌ（Ｋ２）が検出される。関数Ｌ（Ｋ２）は一般的に単調な経過を有する。この関数が計算の不精度または他の影響で多数の個所で単調でなければ、この関数はステップＳ３で修正され、単調な経過を有するようにされる。これは例えば関数経過中のでこぼこを平坦にし、滑らかにすることにより行われる。
【００１８】
ステップＳ４で明度経過Ｌ（Ｋ２）が反転され、これにより関数Ｋ２（Ｌ）が得られる。引き続きステップＳ５で関数Ｌ（Ｋ１）とＫ２（Ｌ）がカスケード結合される。すなわち関数
Ｋ２［Ｌ（ｋ１）］＝Ｋ２（Ｋ１）                                （１）
が形成される。この変換関数は黒色ないし灰色に対して、どの色値Ｋ２を第２の印刷プロセスで使用すれば、これにより第１の印刷プロセスの色値Ｋ１によるものと同じ視覚的明度印象が形成されるかを表わすものである。割り当てられた色値Ｋ１とＫ２は同じ明度印象であるにもかかわらず異なることがある。なぜなら、２つの印刷プロセスで異なる製造業者による印刷インキ・黒が使用されることがあり、または被印刷材料の明度が異なるからである。
【００１９】
ステップＳ６で第１の印刷プロセスの色プロフィールから変換関数
Ｌ（Ｃ１，Ｍ１，Ｙ１）
Ａ（Ｃ１，Ｍ１，Ｙ１）                                          （２）
Ｂ（Ｃ１，Ｍ１，Ｙ１）
が検出される。このためにＫ１＝０にセットされ、色成分Ｃ１，Ｍ１，Ｙ１はその値領域内で変化される。例えばＣ１＝０....２５５，Ｍ１＝０....２５５，Ｙ１＝０....２５５である。［Ｃ１，Ｍ１，Ｙ１］の可能なすべての値コンビネーションに対して、色プロフィールから所属のＬＡＢ色値が得られる。すなわち上記の変換関数が得られる。
【００２０】
ステップＳ７で同じようにして第２の印刷プロセスの色プロフィールから相応の変換関数
Ｌ（Ｃ２，Ｍ２，Ｙ２）
Ａ（Ｃ２，Ｍ２，Ｙ２）                                          （３）
Ｂ（Ｃ２，Ｍ２，Ｙ２）
が検出される。この関数は一般的に単調な経過を有する。これが多数の個所で単調でなければ、この関数はステップＳ８で修正され、単調な経過を得る。このことはステップＳ３で説明したのと同じように行われる。しかしステップＳ３との相違は、１つの曲線を滑らかにするのではなく、平面を３つの独立した変数［Ｃ２，Ｍ２，Ｙ２］を介して滑らかにするのである。
【００２１】
次にステップＳ９で式（３）の関数システムが反転され、次の関数が
Ｃ２（Ｌ，Ａ，Ｂ）
Ｍ２（Ｌ，Ａ，Ｂ）                                          （４）
Ｙ２（Ｌ，Ａ，Ｂ）
得られる。引き続きステップＳ１０でこの関数はステップＳ６で得られた変換関数（式（２））とカスケード結合され、次の関数が
Ｃ２（Ｃ１，Ｍ１，Ｙ１）
Ｍ２（Ｃ１，Ｍ１，Ｙ１）                                      （５）
Ｙ２（Ｃ１，Ｍ１，Ｙ１）
形成される。これらの関数は純色に対して、すなわち黒成分のない色に対して、どのような色値［Ｃ２，Ｍ２，Ｙ２］を第２の印刷プロセスで使用すれば、これにより第１の印刷プロセスでの色値［Ｃ１，Ｍ１，Ｙ１］によるものと同じ視覚的色印象および明度印象が形成されるかを表わす。
【００２２】
ステップＳ１１では最後に、ステップＳ１０で得られた式（５）による純色に対する変換関数、およびステップＳ５で得られた式（１）による黒色ないし灰色に対する変換関数が４次元変換式
Ｃ２（Ｃ１，Ｍ１，Ｙ１，Ｋ１）
Ｍ２（Ｃ１，Ｍ１，Ｙ１，Ｋ１）                            （６）
Ｙ２（Ｃ１，Ｍ１，Ｙ１，Ｋ１）
Ｋ２（Ｃ１，Ｍ１，Ｙ１，Ｋ１）
に結合される。この変換式により、第１の印刷プロセスに対して与えられた色値［Ｃ１，Ｍ１，Ｙ１，Ｋ１］の各コンビネーションに対して、第２の印刷プロセスに対する色値［Ｃ２，Ｍ２，Ｙ２，Ｋ２］の相応のコンビネーションが検出できる。この４次元変換が、黒構造を維持する求められた印刷プロセス適合である。
【００２３】
印刷プロセス適合を例えば１６×１６×１６×１６の備えるテーブルメモリの形態で作成すべき場合、純色に対する変換関数（式（５））と、黒色ないし灰色に対する変換関数（式（１））とを次のように結合することができる。すなわち１６×１６×１６×１６のテーブルメモリスペースの各々に値コンビネーション［Ｃ１，Ｍ１，Ｙ１，Ｋ１］（以下、アドレスと称する）が相当するようにするのである。ここでは４つのコンビネーションの各々が１６の離散的値をとることができる。各テーブルメモリスペースには値コンビネーション［Ｃ２，Ｍ２，Ｙ２，Ｋ２］（以下、関数値と称する）が記憶される。まず式（５）によるすべてのアドレスに対して、割り当てられた関数値［Ｃ２，Ｍ２，Ｙ２］がテーブルメモリに書き込まれる。ここではアドレス成分Ｋ１は役目を果たさない。すなわちアドレス成分Ｋ１は可能な１６の値のいずれかを取ることができる。アドレス成分［Ｃ１，Ｍ１，Ｙ１］の所定のコンビネーションを備えるすべてのアドレスは式（５）に従い割り当てられた関数値［Ｃ２，Ｍ２，Ｙ２］を得る。引き続き式（１）によるすべてのアドレスに割り当てられた関数値Ｋ２が書き込まれる。ここでアドレス成分［Ｃ１，Ｍ１，Ｙ１］は何の役目も果たさない。すなわちこれは１６×１６×１６の可能なコンビネーションのいずれかを取ることができる。所定のアドレス成分Ｋ１を備えるすべてのアドレスは式（１）に従い割り当てられた関数値Ｋ２を得る。ここで前に説明した関数値［Ｃ２，Ｍ２，Ｙ２］は変化しない。
【００２４】
黒構造の維持により得られた印刷プロセス適合の品質は次のように検査することができる。すなわちアドレス［Ｃ１，Ｍ１，Ｙ１，Ｋ１］に対して色値［Ｌ１，Ａ１，Ｂ１］を第１の印刷プロセスの色プロフィールから、そしてアドレスに割り当てられた関数値［Ｃ２，Ｍ２，Ｙ２，Ｋ２］に対して色値［Ｌ２，Ａ２，Ｂ２］を第２の印刷プロセスの色プロフィールから検出することにより検査することができる。最適の印刷プロセス適合に対しては、第１と第２の印刷プロセスのこのＬＡＢ色値が相互に割り当てられたすべてのＣＭＹＫ色に対して一致すべきである。検出された差は引き続きさらに、相互的調整法によって緩和することができる。ここでは、割り当てられた関数値［Ｃ２，Ｍ２，Ｙ２，Ｋ２］は小さなステップで、ＬＡＢ色値が良好に一致するよう変化される。
【００２５】
一方の印刷プロセスを他方の印刷プロセスに印刷プロセス適合するための本発明の方法は前記の従来技術から出発し、図１に基づいて説明した色構造を維持しない印刷プロセス適合Ｕを、図２に基づいて説明した黒構造を維持する印刷プロセス適合Ｖと組合せ、さらに改善された第３の印刷プロセス適合Ｗを形成する。この第３の印刷プロセス適合では、黒構造が維持され、同時に表面カバー和が許容範囲に制限される。印刷プロセス適合Ｕ，Ｖ，Ｗの変換された色値［Ｃ２，Ｍ２，Ｙ２，Ｋ２］は次の指数Ｕ，Ｖ，Ｗにより区別される。
【００２６】
適合Ｕ：［Ｃ１，Ｍ１，Ｙ１，Ｋ１］⇒［Ｃ２，Ｍ２，Ｙ２，Ｋ２］U
適合Ｖ：［Ｃ１，Ｍ１，Ｙ１，Ｋ１］⇒［Ｃ２，Ｍ２，Ｙ２，Ｋ２］V      （７）
適合Ｗ：［Ｃ１，Ｍ１，Ｙ１，Ｋ１］⇒［Ｃ２，Ｍ２，Ｙ２，Ｋ２］W
改善された印刷プロセス適合Ｗは次のような特性を有するべきである。すなわち第１の印刷プロセスでの、多色印刷インキＣＭＹの割合が比較的小さい色が実質的に黒構造を維持して印刷プロセス適合Ｖに従って変換され、第１の印刷プロセスでの、多色印刷インキＣＭＹの割合が比較的大きい色が実質的に黒構造を維持せずに印刷プロセス適合Ｕに従って変換されるような特性を有するべきである。これらの極端な色の間にある色に対しては、黒構造を維持する適合Ｖと黒構造を維持しない適合Ｕとの間で緩やかな移行が行われるべきである。
【００２７】
このためにまず尺度ｓ（Ｃ１，Ｍ１，Ｙ１）が第１の印刷プロセスの色の多色印刷インキＣＭＹの全体成分に対して形成される。これは次の関数
ｓ（Ｃ１，Ｍ１，Ｙ１）＝Ｃ１×Ｃ１＋Ｍ１×Ｍ１＋Ｙ１×Ｙ１      （８）
である。
【００２８】
この関数の最大値は：
ｓｍａｘ＝ｓ（１００，１００，１００）＝３０，０００          （９）
である。
【００２９】
関数ｓ（Ｃ１，Ｍ１，Ｙ１）により重み付け関数ｆ（Ｃ１，Ｍ１，Ｙ１）が形成される。この重み付け関数は０から１の間に制限されており、例えば次のとおりである：
ｆ（Ｃ１，Ｍ１，Ｙ１）＝min｛ｓ（Ｃ１，Ｍ１，Ｙ１）/（Ｔ×ｓｍａｘ）;1｝  (10)
係数Ｔにより、どのような多色成分ｓの際に制限が１に設定されるかを決めることができる。Ｔに対する有利な値はＴ＝０．２である。図３は重み付け関数ｆ（Ｃ１，Ｍ１，Ｙ１）の経過をＣ１とＭ１に依存して、Ｙ１＝３０％の値に対して示す。
【００３０】
本発明により改善された印刷プロセス適合Ｗは、印刷プロセス適合ＵとＶの色値［Ｃ２，Ｍ２，Ｙ２，Ｋ２］の重み付けされた平均として決定される。
【００３１】
【数１】
2004222289.tif 000003
【００３２】
ここに提案した重み付け関数ｆ（Ｃ１，Ｍ１，Ｙ１）の他に、もちろん他の重み付け関数を使用することができる。この関数は、多色印刷インキ［Ｃ１，Ｍ１，Ｙ１］の成分が高い、第１の印刷プロセスの色に大きな重み付け係数を割り当て、多色印刷インキＣＭＹの成分が小さい色に小さな重み付け係数を割り当てる。
【図面の簡単な説明】
【００３３】
【図１】黒構造を維持しない印刷プロセス適合に対するブロック図である。
【図２ａ】黒構造を維持する印刷プロセス適合を形成するためのフローチャートである。
【図２ｂ】黒構造を維持する印刷プロセス適合を形成するためのフローチャートである。
【図２ｃ】黒構造を維持する印刷プロセス適合を形成するためのフローチャートである。
【図３】重み付け関数の経過を示す。
【図１】
2004222289.tif 000004
【図２ａ】
2004222289.tif 000005
【図２ｂ】
2004222289.tif 000006
【図２ｃ】
2004222289.tif 000007
【図３】
2004222289.tif 000008